(57)【要約】      （修正有）【課題】狭額縁化が可能な表示装置を提供する。【解決手段】平坦部ＦＬ１、ＦＬ２と、平坦部ＦＬ１、ＦＬ２に隣接する曲げ部ＢＤと、を有する表示パネルＰＮＬにおいて、表示パネルＰＮＬは、第１基板ＳＵＢ１と、第２基板ＳＵＢ２と、第１基板ＳＵＢ１と第２基板ＳＵＢ２とを接着するシールＳＬと、を備え、シールＳＬは曲げ部ＢＤに充填されている、表示装置。【選択図】図５
2019113687.tif 000002
【特許請求の範囲】
【請求項１】
平坦部と、前記平坦部に隣接する曲げ部と、を備えた表示パネルを備え、
前記表示パネルは、
第１基板と、
第２基板と、
前記第１基板と前記第２基板とを接着するシールと、を備え、
前記シールは、前記曲げ部に充填されている、表示装置。
【請求項２】
さらに、前記平坦部と対向する照明装置を備え、
前記シールの幅は、前記照明装置の厚さより長い、請求項１に記載の表示装置。
【請求項３】
さらに、前記第１基板に接着され第１端部を備えた第１光学フィルムと、
前記第２基板に接着され第２端部を備えた第２光学フィルムと、を備え、
前記第１光学フィルムは前記曲げ部の内周側に位置し、前記第２光学フィルムは前記曲げ部の外周側に位置し、
前記第１端部は、前記第２端部よりも前記平坦部に近接している、請求項１または２に記載の表示装置。
【請求項４】
前記曲げ部において、前記シールと前記第２光学フィルムとが重畳する幅は、前記シールと前記第２光学フィルムとが重畳しない幅より小さい、請求項３に記載の表示装置。
【請求項５】
前記シールは、前記第１端部と重畳する第１位置と、前記第２端部と重畳する第２位置との間に、内端部を備えている、請求項３または４に記載の表示装置。
【請求項６】
前記表示パネルは、さらに、シールストッパ部を備え、
前記シールは、前記シールストッパ部に重畳する内端部を備えている、請求項１乃至５のいずれか１項に記載の表示装置。
【請求項７】
前記シールストッパ部は、凸部及び凹部の少なくとも一方を備えている、請求項６に記載の表示装置。
【請求項８】
前記第１基板は、基板端部を備え、
前記シールは、前記基板端部と重畳する外端部を備えている、請求項１乃至７のいずれか１項に記載の表示装置。
【請求項９】
前記第１基板は、さらに、前記基板端部に最も近接した最外周配線を備え、
前記シールは、前記基板端部と前記最外周配線との間に亘って配置されている、請求項８に記載の表示装置。
【請求項１０】
前記シールは、表示領域と前記最外周配線との間に位置する内端部を備え、
前記内端部と前記最外周配線との間の幅は、前記最外周配線と前記外端部との間の幅
より小さい、請求項９に記載の表示装置。
【発明の詳細な説明】
【技術分野】
【０００１】
本発明の実施形態は、表示装置に関する。
【背景技術】
【０００２】
近年、一対の可撓性を有する基板を用いた光学素子が種々提案されている。一例では、一対の基板を貼り合せるシールの硬化後の室温における弾性率に関して、曲げる辺に沿って配置されるシールは、曲げない辺に沿って配置されるシールより低い弾性率を有することが知られている。
【先行技術文献】
【特許文献】
【０００３】
【特許文献１】特開２０１２−１８５４５７号公報
【発明の概要】
【発明が解決しようとする課題】
【０００４】
本実施形態の目的は、狭額縁化が可能な表示装置を提供することにある。
【課題を解決するための手段】
【０００５】
本実施形態によれば、
平坦部と、前記平坦部に隣接する曲げ部と、を備えた表示パネルを備え、前記表示パネルは、第１基板と、第２基板と、前記第１基板と前記第２基板とを接着するシールと、を備え、前記シールは、前記曲げ部に充填されている、表示装置が提供される。
【図面の簡単な説明】
【０００６】
【図１】図１は、本実施形態の表示装置ＤＳＰの構成を示す平面図である。
【図２】図２は、図１のＡ−Ｂ線で切断した表示装置ＤＳＰを示す断面図である。
【図３】図３は、曲げ線ＢＬ１及びＢＬ２に沿って表示装置ＤＳＰを曲げた状態を説明するための図である。
【図４】図４は、曲げ線ＢＬ３及びＢＬ４に沿って表示装置ＤＳＰを曲げた状態を説明するための図である。
【図５】図５は、曲げ線ＢＬ１に沿って曲げた表示装置ＤＳＰを示す断面図である。
【図６】図６は、第１光学フィルムＯＦ１が除去される幅ＷＲＭに対して第２光学フィルムＯＦ２が重なる幅ＷＯＬを説明する概略断面図である。
【図７】図７は、曲げ線ＢＬ３及びＢＬ４に沿って曲げた表示装置ＤＳＰを示す断面図である。
【図８】図８は、シールストッパ部ＳＳの一構成例を示す平面図である。
【図９】図９は、第１基板ＳＵＢ１とシールＳＬとの位置関係を説明するための平面図である。
【図１０】図１０は、シールストッパ部ＳＳの第１構成例を示す断面図である。
【図１１】図１１は、シールストッパ部ＳＳの第２構成例を示す断面図である。
【図１２】図１２は、シールストッパ部ＳＳの第３構成例を示す断面図である。
【図１３】図１３は、表示装置ＤＳＰの構成を示す図である。
【図１４】図１４は、画素ＰＸの構成例を示す断面図である。
【図１５】図１５は、凸部ＣＶ１１及びＣＶ２１の具体例を示す図である。
【図１６】図１６は、凹部ＣＣ１１及びＣＣ２１の具体例を示す図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態の表示装置ＤＳＰの構成を示す平面図である。なお、図示された第１方向Ｘ、第２方向Ｙ、及び、第３方向Ｚは、互いに直交しているが、９０度以外の角度で交差していてもよい。第１方向Ｘ及び第２方向Ｙは、表示装置ＤＳＰを構成する基板の主面と平行な方向に相当し、第３方向Ｚは、表示装置ＤＳＰの厚さ方向に相当する。以下の説明において、第３方向Ｚを示す矢印の先端に向かう方向を「上」と称し、矢印の先端から逆に向かう方向を「下」と称する。「第１部材の上の第２部材」及び「第１部材の下の第２部材」とした場合、第２部材は、第１部材に接していてもよいし、第１部材から離間していてもよい。また、第３方向Ｚを示す矢印の先端側から第１方向Ｘ及び第２方向Ｙによって規定されるＸ−Ｙ平面をみることを平面視という。
【０００９】
表示装置ＤＳＰは、表示パネルＰＮＬを備えている。表示パネルＰＮＬは、例えば、液晶パネルであり、第１基板ＳＵＢ１と、第２基板ＳＵＢ２と、液晶層（後述する液晶層ＬＣ）と、を備えている。第１基板ＳＵＢ１及び第２基板ＳＵＢ２は、第３方向Ｚに対向し、シールＳＬによって接着されている。
【００１０】
表示装置ＤＳＰは、画像を表示する表示領域ＤＡと、表示領域ＤＡの周囲の非表示領域ＮＤＡと、を備えている。非表示領域ＮＤＡは、額縁状に形成されている。シールＳＬは、非表示領域ＮＤＡに位置している。表示領域ＤＡは、第２基板ＳＵＢ２に備えられた遮光層ＬＳによって囲まれている。シールＳＬは、平面視で遮光層ＬＳと重畳している。図１において、シールＳＬは右上がりの斜線で示し、遮光層ＬＳは右下がりの斜線で示している。
【００１１】
表示装置ＤＳＰは、第１方向Ｘに沿って延出した辺Ｅ１及びＥ２と、第２方向Ｙに沿って延出した辺Ｅ３及びＥ４と、を備えている。第１基板ＳＵＢ１及び第２基板ＳＵＢ２は、可撓性を有する材料によって形成されている。このため、表示装置ＤＳＰは、第１方向Ｘに沿った曲げ線ＢＬ１及びＢＬ２に沿って曲げることができる。あるいは、表示装置ＤＳＰは、第２方向Ｙに沿った曲げ線ＢＬ３及びＢＬ４に沿って曲げることができる。  
曲げ線ＢＬ１乃至ＢＬ４は、それぞれ表示領域ＤＡと辺Ｅ１乃至Ｅ４との間に位置している。曲げ線ＢＬ１乃至ＢＬ４は、いずれも直線状に延出している。図示した例では、曲げ線ＢＬ１乃至ＢＬ４は、それぞれ表示領域ＤＡと非表示領域ＮＤＡとの境界Ｂ１乃至Ｂ４に位置している。境界Ｂ１及びＢ２は第１方向Ｘに沿った直線部に相当し、境界Ｂ３及びＢ４は第２方向Ｙに沿った直線部に相当する。
【００１２】
遮光層ＬＳの内端部ＬＳＩは、境界Ｂ１乃至Ｂ４に一致している。シールＳＬの内端部ＳＬＩは、境界Ｂ１乃至Ｂ４よりも外側（表示領域ＤＡから離間する側）に位置している。なお、内端部ＳＬＩは、境界Ｂ１乃至Ｂ４に一致していてもよい。表示領域ＤＡと非表示領域ＮＤＡとの境界Ｂ１乃至Ｂ４と、曲げ線ＢＬ１乃至ＢＬ４との相互の位置関係は、それぞれが同一直線上に位置する場合だけではなく、曲げ線ＢＬ１乃至ＢＬ４がそれぞれ境界Ｂ１乃至Ｂ４から外側に位置する場合もある。なお、シールＳＬの内端部ＳＬＩは、曲げ線ＢＬ１乃至ＢＬ４と一致することが望ましいが、シールＳＬの形成（塗布）時に生じる誤差により、内端部ＳＬＩは、曲げ線ＢＬ１乃至ＢＬ４よりも内側および外側に位置する場合がある。
【００１３】
図２は、図１のＡ−Ｂ線で切断した表示装置ＤＳＰを示す断面図である。表示装置ＤＳＰは、図１に示した表示パネルＰＮＬに加えて、第１光学フィルムＯＦ１と、第２光学フィルムＯＦ２と、表示パネルＰＮＬと第１光学フィルムＯＦ１との間に介在する接着層ＡＤ１と、表示パネルＰＮＬと第２光学フィルムＯＦ２との間に介在する接着層ＡＤ２と、照明装置ＩＬと、を備えている。  
第１光学フィルムＯＦ１は、第１偏光層ＰＬ１を含み、接着層ＡＤ１により第１基板ＳＵＢ１に接着されている。第２光学フィルムＯＦ２は、第２偏光層ＰＬ２を含み、接着層ＡＤ２により第２基板ＳＵＢ２に接着されている。第１光学フィルムＯＦ１は、少なくとも表示領域ＤＡに配置されている。第２光学フィルムＯＦ２は、第１光学フィルムＯＦ１よりも外側に延出し、表示領域ＤＡのみならず、非表示領域ＮＤＡにも配置されている。これらの第１光学フィルムＯＦ１及び第２光学フィルムＯＦ２は、一対の支持体の間に偏光層を挟持した基本構造を有するが、位相差層等の他の光学機能層を含んでいてもよい。
【００１４】
図示した断面において、遮光層ＬＳは、辺Ｅ３と境界Ｂ３との間、及び、辺Ｅ４と境界Ｂ４との間にそれぞれ配置されている。シールＳＬの内端部ＳＬＩは、非表示領域ＮＤＡにおいて、境界Ｂ３及びＢ４に近接する側にそれぞれ位置している。シールＳＬの外端部ＳＬＯは、辺Ｅ３及びＥ４にそれぞれ位置している。なお、辺Ｅ３及びＥ４の各々においては、第１基板ＳＵＢ１の基板端部ＥＡは第２基板ＳＵＢ２の基板端部ＥＢに重畳し、外端部ＳＬＯは基板端部ＥＡ及び基板端部ＥＢに重畳している。このような断面構造は、辺Ｅ２においても同様である。
【００１５】
液晶層ＬＣは、シールＳＬの内側において第１基板ＳＵＢ１と第２基板ＳＵＢ２との間に保持されている。液晶層ＬＣは、非表示領域ＮＤＡにおいて、遮光層ＬＳと第１基板ＳＵＢ１との間にも介在する場合もあり得る。
【００１６】
照明装置ＩＬは、第１光学フィルムＯＦ１の下側に位置し、表示パネルＰＮＬを照明する。照明装置ＩＬは、少なくとも表示領域ＤＡに配置され、非表示領域ＮＤＡに配置されていてもよい。照明装置ＩＬは、第１光学フィルムＯＦ１と接着されていてもよい。
【００１７】
図３は、曲げ線ＢＬ１及びＢＬ２に沿って表示装置ＤＳＰを曲げた状態を説明するための図である。図の左側の平面図は、曲げる前の表示装置ＤＳＰを示している。表示装置ＤＳＰは、非表示領域として、第１方向Ｘに沿って延出した非表示領域ＮＤＡ１及びＮＤＡ２を備えている。非表示領域ＮＤＡ１は、辺Ｅ１と表示領域ＤＡとの間に位置し、第２方向Ｙに沿った額縁幅Ｗ１を有している。非表示領域ＮＤＡ２は、辺Ｅ２と表示領域ＤＡとの間に位置し、第２方向Ｙに沿った額縁幅Ｗ２を有している。  
図の右側の平面図は、曲げ線ＢＬ１及びＢＬ２に沿って曲げた表示装置ＤＳＰを示している。図示した表示装置ＤＳＰは、左側の平面図に示した辺Ｅ１及びＥ２が表示領域ＤＡに対して下側に位置するように曲げられている。平面視で、非表示領域ＮＤＡ１は、第２方向Ｙに沿って額縁幅Ｗ１より小さい額縁幅Ｗ１１を有している。同様に、非表示領域ＮＤＡ２は、第２方向Ｙに沿って額縁幅Ｗ２より小さい額縁幅Ｗ１２を有している。したがって、このように曲げた表示装置ＤＳＰでは、曲げる前と比較して、狭額縁化が可能となる。
【００１８】
図４は、曲げ線ＢＬ３及びＢＬ４に沿って表示装置ＤＳＰを曲げた状態を説明するための図である。図の左側の平面図は、曲げる前の表示装置ＤＳＰを示している。表示装置ＤＳＰは、非表示領域として、第２方向Ｙに沿って延出した非表示領域ＮＤＡ３及びＮＤＡ４を備えている。非表示領域ＮＤＡ３は、辺Ｅ３と表示領域ＤＡとの間に位置し、第１方向Ｘに沿った額縁幅Ｗ３を有している。非表示領域ＮＤＡ４は、辺Ｅ４と表示領域ＤＡとの間に位置し、第１方向Ｘに沿った額縁幅Ｗ４を有している。  
図の右側の平面図は、曲げ線ＢＬ３及びＢＬ４に沿って曲げた表示装置ＤＳＰを示している。図示した表示装置ＤＳＰは、左側の平面図に示した辺Ｅ３及びＥ４が表示領域ＤＡに対して下側に位置するように曲げられている。平面視で、非表示領域ＮＤＡ３は、第１方向Ｘに沿って額縁幅Ｗ３より小さい額縁幅Ｗ１３を有している。同様に、非表示領域ＮＤＡ４は、第１方向Ｘに沿って額縁幅Ｗ４より小さい額縁幅Ｗ１４を有している。したがって、このように曲げた表示装置ＤＳＰでは、曲げる前と比較して、狭額縁化が可能となる。
【００１９】
次に、上記の曲げ線ＢＬ１乃至ＢＬ４のいずれかに沿って曲げた表示装置ＤＳＰについて説明する。一例として、表示装置ＤＳＰが曲げ線ＢＬ１に沿って曲げられた構成例について説明するが、他の曲げ線に沿って曲げられた場合も同様である。なお、ここでは、曲げ線ＢＬ１は境界Ｂ１に一致するものとする。
【００２０】
図５は、曲げ線ＢＬ１に沿って曲げた表示装置ＤＳＰを示す断面図である。図示した断面図は、第２方向Ｙ及び第３方向Ｚによって規定されるＹ−Ｚ断面図に相当する。表示パネルＰＮＬは、第１平坦部ＦＬ１と、曲げ部ＢＤと、第２平坦部ＦＬ２と、を備えている。曲げ部ＢＤは第１平坦部ＦＬ１に隣接し、第２平坦部ＦＬ２は曲げ部ＢＤに隣接している。曲げ部ＢＤで曲げた表示装置ＤＳＰにおいては、第１平坦部ＦＬ１と第２平坦部ＦＬ２とが第３方向Ｚに対向し、第１平坦部ＦＬ１が第２平坦部ＦＬ２の上側に位置している。第２平坦部ＦＬ２において、第１基板ＳＵＢ１の基板端部ＥＡは、第２基板ＳＵＢ２の基板端部ＥＢよりも曲げ部ＢＤから離間している。図示した断面において、基板端部ＥＡは、図１に示した辺Ｅ１に相当する。  
曲げ部ＢＤにおいては、第１基板ＳＵＢ１が内周側に位置し、第２基板ＳＵＢ２が外周側に位置している。第１基板ＳＵＢ１の下面１Ａは曲げ部ＢＤの内周面に相当し、第２基板ＳＵＢ２の上面２Ａは曲げ部ＢＤの外周面に相当する。下面１Ａ及び上面２Ａは、いずれも曲面であり、図示した例ではいずれも第１方向Ｘに延びた円筒面である。下面１Ａの曲率半径は、上面２Ａの曲率半径より小さい。
【００２１】
シールＳＬは、曲げ部ＢＤに充填されている。図示した例では、シールＳＬは、第２平坦部ＦＬ２にも充填されている。シールＳＬの内端部ＳＬＩは、曲げ線ＢＬ１付近あるいは境界Ｂ１付近に位置し、液晶層ＬＣと接触している。内端部ＳＬＩは、非表示領域ＮＤＡ１に位置しており、境界Ｂ１を超えて表示領域ＤＡに位置することはない。シールＳＬの外端部ＳＬＯは、第２平坦部ＦＬ２に位置し、基板端部ＥＢに重畳している。シールＳＬは、その内端部ＳＬＩから外端部ＳＬＯまで全幅Ｗ２０を有している。なお、シールＳＬは、その一部に空隙を含んでいてもよい。また、シールＳＬは、単一の材料によって形成されていてもよいし、外端部ＳＬＯを含む第１部分と内端部ＳＬＩを含む第２部分とが異なる材料によって形成されていてもよい。例えば、第１部分は第２部分よりも防水性の高い材料によって形成されてもよいし、第２部分は第１部分よりも液晶層ＬＣを汚染しにくい材料によって形成されていてもよい。
【００２２】
第１光学フィルムＯＦ１は、第１平坦部ＦＬ１において第１基板ＳＵＢ１に接着されている。第１光学フィルムＯＦ１は、曲げ部ＢＤの内周側に位置している。第１光学フィルムＯＦ１は、曲げ線ＢＬ１付近あるいは境界Ｂ１付近に第１端部Ｅ１１を備えている。第２光学フィルムＯＦ２は、第１平坦部ＦＬ１において第２基板ＳＵＢ２に接着されている。第２光学フィルムＯＦ２は、曲げ部ＢＤの外周側に位置している。第２光学フィルムＯＦ２は、曲げ線ＢＬ１付近あるいは境界Ｂ１付近に第２端部Ｅ２１を備えている。第１端部Ｅ１１は、第２端部Ｅ２１よりも第１平坦部ＦＬ１に近接している。なお、第１光学フィルムＯＦ１及び第２光学フィルムＯＦ２は、第２平坦部ＦＬ２には重畳していない。  
図示した例では、第１端部Ｅ１１は曲げ部ＢＤに重畳せず、第２端部Ｅ２１は曲げ部ＢＤに重畳している。曲げ部ＢＤにおいて、シールＳＬと第２光学フィルムＯＦ２とが重畳する幅Ｗ２１は、シールＳＬと第２光学フィルムＯＦ２とが重畳していない幅Ｗ２２より小さい。なお、第２端部Ｅ２１が第１平坦部ＦＬ１に重畳し、第２光学フィルムＯＦ２が曲げ部ＢＤに重畳していない場合には、幅Ｗ２１はゼロである。
【００２３】
また、図示した断面において、第１光学フィルムＯＦ１の第１端部Ｅ１１、及び、第２光学フィルムＯＦ２の第２端部Ｅ２１は、第２方向Ｙに沿ってこの順に並び、シールＳＬの内端部ＳＬＩは第１端部Ｅ１１と一致するか、第１端部Ｅ１１よりも表示領域ＤＡ側に位置している。第１端部Ｅ１１の位置を第１位置Ｐ１とし、第２端部Ｅ２１の位置を第２位置Ｐ２としたとき、図示した例では、内端部ＳＬＩは、第１位置Ｐ１に位置している。第１位置Ｐ１が非表示領域ＮＤＡ１に位置する場合には、内端部ＳＬＩが第１位置Ｐ１と境界Ｂ１との間に位置する場合があり得る。なお、第１位置Ｐ１と第２位置Ｐ２との距離である、第１光学フィルムＯＦ１を除去した領域と第２光学フィルムＯＦ２とが重畳する幅Ｗ２１についての詳細は、図６を用いて後述する。
【００２４】
表示パネルＰＮＬは、曲げ線ＢＬ１付近あるいは境界Ｂ１付近に、シールストッパ部ＳＳを備えている。シールストッパ部ＳＳは、シールＳＬを形成する際に、シールＳＬの表示領域ＤＡへの広がりを抑制する複数のストッパを備える。シールストッパ部ＳＳの詳細については後述するが、ストッパは、図１に示した非表示領域ＮＤＡにおいて、辺Ｅ１乃至Ｅ４に沿ってそれぞれ形成される。また、複数のストッパは、図１に示した表示領域ＤＡから辺Ｅ１乃至Ｅ４の各々に向かって並んでいる。シールＳＬの内端部ＳＬＩは、シールストッパ部ＳＳに重畳している。
【００２５】
照明装置ＩＬは、第１平坦部ＦＬ１と対向している。図示した例では、照明装置ＩＬは、第１平坦部ＦＬ１と第２平坦部ＦＬ２との間に位置している。また、第１平坦部ＦＬ１と照明装置ＩＬとの間には、第１光学フィルムＯＦ１が介在している。  
照明装置ＩＬは、導光板ＬＧと、複数の光学シートＯＳ１乃至ＯＳ４と、を備えている。導光板ＬＧは、第２平坦部ＦＬ２と対向する下面ＬＧＡと、第１平坦部ＦＬ１と対向する上面ＬＧＢと、曲げ部ＢＤと対向する側面ＬＧＳと、を備えている。光学シートＯＳ１は、反射シートであり、下面ＬＧＡに接している。光学シートＯＳ２は、上面ＬＧＢに接している。光学シートＯＳ２乃至ＯＳ４は、プリズムシート、拡散シート等であり、第３方向Ｚに積層されている。光学シートＯＳ１は、第２平坦部ＦＬ２の第１基板ＳＵＢ１と接していてもよい。最上層の光学シートＯＳ４は、第１光学フィルムＯＦ１と接していてもよい。側面ＬＧＳは、曲げ部ＢＤの下面１Ａと接していてもよい。
【００２６】
照明装置ＩＬは、光学シートＯＳ１から最上層の光学シートＯＳ４まで第３方向Ｚに沿った厚さＴ１を有している。導光板ＬＧは、下面ＬＧＡから上面ＬＧＢまで第３方向Ｚに沿った厚さＴ２を有している。  
シールＳＬの全幅Ｗ２０は、厚さＴ１及び厚さＴ２のいずれよりも長い。一例では、全幅Ｗ２０は１４００μｍ〜１８００μｍであり、厚さＴ１は６００μｍ〜１１００μｍであり、厚さＴ２は５００μｍ〜１０００μｍである。厚さＴ１が６００μｍで第１光学フィルムＯＦ１と第１基板ＳＵＢ１とを合わせた厚さを１５０μｍとして、例えば、半径４５０μｍの半円の円周上にシールＳＬが形成されると考えると、計算上、曲げ部ＢＤの幅は１４１３μｍとなり、シールＳＬの全幅Ｗ２０は１４００μｍ以上となる。
【００２７】
曲げ線ＢＬ１が境界Ｂ１に一致していた場合、曲げ部ＢＤは、非表示領域ＮＤＡ１に位置する。上面２Ａには第２光学フィルムＯＦ２が接着されていないため、非表示領域ＮＤＡ１の額縁幅Ｗ１１は、境界Ｂ１と、第１平坦部ＦＬ１から最も離れた上面２Ａとの間の第２方向Ｙに沿った長さに相当する。このため、額縁幅Ｗ１１は、上面２Ａに第２光学フィルムＯＦ２が接着された場合と比較して小さくすることができる。また、下面１Ａには第１光学フィルムＯＦ１が接着されていないため、下面１Ａは、導光板ＬＧの側面ＬＧＳに接近させることができる。このため、額縁幅Ｗ１１は、下面１Ａに第１光学フィルムＯＦ１が接着された場合と比較して小さくすることができる。  
また、表示パネルＰＮＬよりも高い剛性を有する第１光学フィルムＯＦ１及び第２光学フィルムＯＦ２が表示パネルＰＮＬの曲げ部ＢＤにほとんど重畳しない。曲げ部ＢＤの内周側に位置する第１光学フィルムＯＦ１の第１端部Ｅ１１は、外周側に位置する第２光学フィルムＯＦ２の第２端部Ｅ２１よりも第１平坦部ＦＬ１に近接している。加えて、曲げ部ＢＤにおいて、シールＳＬと第２光学フィルムＯＦ２とが重畳する幅Ｗ２１は、シールＳＬと第２光学フィルムＯＦ２とが重畳しない幅Ｗ２２より小さい。このため、容易に表示パネルＰＮＬを曲げることができる。また、表示パネルＰＮＬをより小さい曲率半径で曲げることが可能となる。  
したがって、表示装置ＤＳＰの狭額縁化が可能となる。
【００２８】
曲げ部ＢＤにはシールＳＬが充填されているため、第１基板ＳＵＢ１及び第２基板ＳＵＢ２を１つの弾性体としてみなすことができ、曲げ部ＢＤの座屈を抑制することができる。また、狭額縁化に伴って曲げ部ＢＤが表示領域ＤＡに近接するが、座屈に起因した表示領域ＤＡでの第１基板ＳＵＢ１と第２基板ＳＵＢ２とのギャップムラを抑制することができる。したがって、表示品位の劣化を抑制することが可能となる。  
また、表示パネルＰＮＬは、曲げ線ＢＬ１付近あるいは境界Ｂ１付近にシールストッパ部ＳＳを備えている。このため、シールＳＬの表示領域ＤＡへの広がりが抑制され、シールＳＬの内端部ＳＬＩの位置を精度よく規定することができる。
【００２９】
図６は、第１光学フィルムＯＦ１が除去される幅ＷＲＭに対して第２光学フィルムＯＦ２が重なる幅ＷＯＬを説明する概略断面図である。図６では図５に示した表示装置ＤＳＰの辺Ｅ１において、説明に必要な構成を示し他の構成については省略している。また、曲げ部ＢＤで表示装置ＤＳＰを曲げる前の構造を示している。
図６の（Ａ）及び図６の（Ｂ）において、点線ＬＡは第１光学フィルムＯＦ１が除去される領域の表示領域ＤＡ側の境界を示しており、第１光学フィルムＯＦ１の第１端部Ｅ１１の位置を示している。また、点線ＬＢは第２光学フィルムＯＦ２の第２端部Ｅ２１の位置を示しており、点線ＬＡと点線ＬＢとの間の幅が、第１光学フィルムＯＦ１が除去される幅ＷＲＭに対して第２光学フィルムＯＦ２が重なる幅ＷＯＬを示すことになる。また、点線ＬＣは第１光学フィルムＯＦ１が除去される領域の表示装置ＤＳＰの辺Ｅ１側の境界を示しており、図６の（Ａ）及び図６の（Ｂ）では、わかりやすいように、第１光学フィルムＯＦ１を残した構造を示している。
図６の（Ａ）では、点線ＬＡと点線ＬＢは重なっており、第１光学フィルムＯＦ１が除去される幅ＷＲＭに対して第２光学フィルムＯＦ２が重なる幅ＷＯＬが０の場合を示している。また、図６の（Ｂ）では、点線ＬＢは点線ＬＡと点線ＬＣの中間に位置しており、第１光学フィルムＯＦ１が除去される幅ＷＲＭに対して第２光学フィルムＯＦ２が重なる幅ＷＯＬが半分の場合を示している。すなわち、第１光学フィルムＯＦ１が除去される幅ＷＲＭに対して第２光学フィルムＯＦ２が重なる幅ＷＯＬは、０から１／２の値となることが望ましい。
図６の（Ａ）及び図６の（Ｂ）においては、シールＳＬと液晶層ＬＣとの境界であるシールＳＬの内端部ＳＬＩは、境界ＬＡよりも表示領域ＤＡ側に形成されている。
【００３０】
図７は、曲げ線ＢＬ３及びＢＬ４に沿って曲げた表示装置ＤＳＰを示す断面図である。図示した断面図は、第１方向Ｘ及び第３方向Ｚによって規定されるＸ−Ｚ断面図に相当する。なお、ここでは、曲げ線ＢＬ３は境界Ｂ３に一致し、曲げ線ＢＬ４は境界Ｂ４に一致するものとする。  
シールＳＬは、非表示領域ＮＤＡ３及びＮＤＡ４において曲げ部ＢＤにそれぞれ充填されている。シールストッパ部ＳＳは、曲げ線ＢＬ３及びＢＬ４付近にそれぞれ配置されている。曲げ線ＢＬ３付近において、第１光学フィルムＯＦ１は第１端部Ｅ１３を備え、第２光学フィルムＯＦ２は第２端部Ｅ２３を備えている。第１端部Ｅ１３は、第２端部Ｅ２３よりも表示領域ＤＡに近接している。曲げ線ＢＬ４付近においても同様に、第１光学フィルムＯＦ１の第１端部Ｅ１４は、第２光学フィルムＯＦ２の第２端部Ｅ２４よりも表示領域ＤＡに近接している。  
非表示領域ＮＤＡ３の額縁幅Ｗ１３は、境界Ｂ３と、表示領域ＤＡから最も離れた上面２Ａとの間の第１方向Ｘに沿った長さに相当する。非表示領域ＮＤＡ４の額縁幅Ｗ１４は、境界Ｂ４と、表示領域ＤＡから最も離れた上面２Ａとの間の第１方向Ｘに沿った長さに相当する。上記の通り、表示パネルＰＮＬは、曲げ部ＢＤで容易に曲げられるため、額縁幅Ｗ１３及びＷ１４を小さくすることができる。
【００３１】
図８は、シールストッパ部ＳＳの一構成例を示す平面図である。ここでは、図７に示した辺Ｅ４と表示領域ＤＡとの間に配置されたシールストッパ部ＳＳについて説明する。なお、図示した平面図では、曲げる前の表示装置ＤＳＰを示している。シールストッパ部ＳＳは、非表示領域ＮＤＡ４において、辺Ｅ４から離間し、表示領域ＤＡに近接している。シールストッパ部ＳＳは、複数のストッパＳＴを備えている。ストッパＳＴは、凸部及び凹部の少なくとも一方である。ストッパＳＴの各々は、第２方向Ｙに沿って延出している。複数のストッパＳＴは、間隔をおいて第１方向Ｘに並んでいる。複数のストッパＳＴは、シールＳＬを精度よく配置するために形成され、シールＳＬの内端部ＳＬＩが、曲げ線ＢＬ４と一致するように、曲げ線ＢＬ４を中心として表示領域ＤＡ側と辺Ｅ４側とに位置している。
シールＳＬは曲げ部ＢＤに充填され、曲げ部ＢＤの幅は前述したように、１４００μｍ以上と従来の構造よりも大幅に増加しており、シールＳＬの量も増加している。シールＳＬの量の増加に伴い、塗布量の誤差等により、内端部ＳＬＩを精度良く配置することが困難となり、ストッパＳＴを設けることとなった。
シールＳＬを塗布して形成する場合に、シール塗布点を中心にシールＳＬは、表示領域ＤＡ側と辺Ｅ４側に均等に広がる。ストッパＳＴを設けてシールＳＬの移動に抵抗を生じさせることで、表示領域ＤＡ側ではシールＳＬはストッパＳＴで止まり、表示領域ＤＡ側に広がろうとした分のシールＳＬは辺Ｅ４側に広がる。辺Ｅ４側のシール端の位置精度が表示領域ＤＡ側よりも低くなったとしても、辺Ｅ４側は表示領域ＤＡの裏面となるため、表示に対する影響は小さい。
【００３２】
図９は、第１基板ＳＵＢ１とシールＳＬとの位置関係を説明するための平面図である。第１基板ＳＵＢ１は、基板端部ＥＡに最も近接した最外周配線ＷＯを備えている。シールＳＬは、基板端部ＥＡと最外周配線ＷＯとの間に亘って配置されている。シールＳＬの内端部ＳＬＩは、図中に点線で示した表示領域ＤＡと最外周配線ＷＯとの間に位置している。シールＳＬの外端部ＳＬＯは、基板端部ＥＡに重畳している。内端部ＳＬＩと最外周配線ＷＯとの間の幅Ｗ３１は、最外周配線ＷＯと外端部ＳＬＯとの間の幅Ｗ３２より小さい。
【００３３】
次に、シールストッパ部ＳＳについてより具体的な構成例について説明する。なお、以下の構成例において、凸部や凹部の個数は図示した例に限られるものではない。
【００３４】
図１０は、シールストッパ部ＳＳの第１構成例を示す断面図である。第１構成例は、シールストッパ部ＳＳがストッパとして複数の凸部を備えた例に相当する。すなわち、シールストッパ部ＳＳは、凸部ＣＶ１１乃至ＣＶ１３と、凸部ＣＶ２１乃至ＣＶ２３と、を備えている。なお、凸部ＣＶ１１乃至ＣＶ１３と、凸部ＣＶ２１乃至ＣＶ２３とは曲げ線ＢＬ４に沿って壁状に形成されている。凸部ＣＶ１１乃至ＣＶ１３は、この順に間隔をおいて第１方向Ｘに並んでいる。凸部ＣＶ２１乃至ＣＶ２３は、この順に間隔をおいて第１方向Ｘに並んでいる。凸部ＣＶ１１は凸部ＣＶ２１及びＣＶ２２の間に位置し、凸部ＣＶ１２は凸部ＣＶ２２及びＣＶ２３の間に位置し、凸部ＣＶ２３は凸部ＣＶ１２及びＣＶ１３の間に位置している。  
凸部ＣＶ１１乃至ＣＶ１３は、第１基板ＳＵＢ１に設けられ、第２基板ＳＵＢ２に向かって突出している。図示した例では、凸部ＣＶ１１乃至ＣＶ１３は、第２基板ＳＵＢ２から離間しているが、第２基板ＳＵＢ２に接していてもよい。  
凸部ＣＶ２１乃至ＣＶ２３は、第２基板ＳＵＢ２に設けられ、第１基板ＳＵＢ１に向かって突出している。図示した例では、凸部ＣＶ２１乃至ＣＶ２３は、第１基板ＳＵＢ１から離間しているが、第１基板ＳＵＢ１に接していてもよい。また、凸部ＣＶ２１乃至ＣＶ２３は、それぞれ凸部ＣＶ１１乃至ＣＶ１３に接していてもよい。
【００３５】
図１０の（Ａ）に示した例では、シールＳＬの内端部ＳＬＩが曲げ線ＢＬ４の位置に対して表示領域ＤＡ側に位置している。内端部ＳＬＩは、シールストッパ部ＳＳにおいて、凸部ＣＶ２１及びＣＶ１１の間に位置している。凸部ＣＶ２１と第１基板ＳＵＢ１との間には、液晶層ＬＣが介在している。  
図１０の（Ｂ）に示した例では、内端部ＳＬＩが第１光学フィルムＯＦ１の第１端部Ｅ１４付近に位置している。内端部ＳＬＩは、シールストッパ部ＳＳにおいて、凸部ＣＶ２３及びＣＶ１３の間に位置している。
内端部ＳＬＩは、最も辺Ｅ４側に形成される場合でも、第１光学フィルムＯＦ１の第１端部Ｅ１４と重なるようにシールＳＬは塗布される。  
図１０の（Ｃ）に示した例では、内端部ＳＬＩが曲げ線ＢＬ４と同じ位置に形成されている。内端部ＳＬＩは、シールストッパ部ＳＳにおいて、凸部ＣＶ２２及びＣＶ１２の間に位置している。  
【００３６】
図１１は、シールストッパ部ＳＳの第２構成例を示す断面図である。第２構成例は、シールストッパ部ＳＳがストッパとして複数の凹部を備えた例に相当する。すなわち、シールストッパ部ＳＳは、凹部ＣＣ１１乃至ＣＣ１３と、凹部ＣＣ２１乃至ＣＣ２３と、を備えている。凹部ＣＣ１１乃至ＣＣ１３は、この順に間隔をおいて第１方向Ｘに並んでいる。凹部ＣＣ２１乃至ＣＣ２３は、この順に間隔をおいて第１方向Ｘに並んでいる。凹部ＣＣ１１乃至ＣＣ１３は、第１基板ＳＵＢ１に設けられている。凹部ＣＣ２１乃至ＣＣ２３は、第２基板ＳＵＢ２に設けられている。
【００３７】
図１１の（Ａ）に示した例では、内端部ＳＬＩが曲げ線ＢＬ４の位置に対して表示領域ＤＡ側に位置している。内端部ＳＬＩは、シールストッパ部ＳＳにおいて、凹部ＣＣ１１及びＣＣ２１と重なるように位置している。  
図１１の（Ｂ）に示した例では、内端部ＳＬＩが第１端部Ｅ１４付近に位置している。内端部ＳＬＩは、シールストッパ部ＳＳにおいて、凹部ＣＣ１３及びＣＣ２３と重なるように位置している。  
図１１の（Ｃ）に示した例では、内端部ＳＬＩが曲げ線ＢＬ４と重なっている。内端部ＳＬＩは、シールストッパ部ＳＳにおいて、凹部ＣＣ１２及びＣＣ２２と重なるように位置している。
【００３８】
図１２は、シールストッパ部ＳＳの第３構成例を示す断面図である。第３構成例は、シールストッパ部ＳＳがストッパとして凸部及び凹部の双方を備えた例に相当する。すなわち、シールストッパ部ＳＳは、凸部ＣＶ１１乃至ＣＶ１３と、凸部ＣＶ２１乃至ＣＶ２３と、凹部ＣＣ１１乃至ＣＣ１３と、凹部ＣＣ２１乃至ＣＣ２３と、を備えている。凸部ＣＶ１１乃至ＣＶ１３、及び、凹部ＣＣ１１乃至ＣＣ１３は、第１基板ＳＵＢ１に設けられている。凸部ＣＶ２１乃至ＣＶ２３、及び、凹部ＣＣ２１乃至ＣＣ２３は、第２基板ＳＵＢ２に設けられている。
【００３９】
図１２の（Ａ）に示した例では、内端部ＳＬＩが曲げ線ＢＬ４の位置に対して表示領域ＤＡ側に位置している。内端部ＳＬＩは、シールストッパ部ＳＳにおいて、凸部ＣＶ１１と凹部ＣＣ１１及びＣＣ２１との間に位置している。  
図１２の（Ｂ）に示した例では、内端部ＳＬＩが第１端部Ｅ１４付近に位置している。内端部ＳＬＩは、シールストッパ部ＳＳにおいて、凸部ＣＶ１３と凹部ＣＣ１３及びＣＣ２３との間に位置している。  
図１２の（Ｃ）に示した例では、内端部ＳＬＩが第１端部Ｅ１４と第２端部Ｅ２４との間に位置している。内端部ＳＬＩは、シールストッパ部ＳＳにおいて、凸部ＣＶ１２に重畳している。
【００４０】
次に、表示装置ＤＳＰの一例である液晶表示装置についてより具体的に説明する。  
図１３は、表示装置ＤＳＰの構成を示す図である。表示装置ＤＳＰは、表示領域ＤＡにおいて、複数の画素ＰＸと、複数本の走査線Ｇ（Ｇ１〜Ｇｎ）と、複数本の信号線Ｓ（Ｓ１〜Ｓｍ）と、共通電極ＣＥと、を備えている。複数の画素ＰＸは、マトリクス状に配置されている。走査線Ｇの各々は、第１方向Ｘに沿って延出し、走査線駆動回路ＧＤに接続されている。信号線Ｓの各々は、第２方向Ｙに沿って延出し、信号線駆動回路ＳＤに接続されている。共通電極ＣＥは、複数の画素ＰＸに亘って配置され、共通電極駆動回路ＣＤに接続されている。  
各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。画素電極ＰＥは、スイッチング素子ＳＷと電気的に接続されている。各画素ＰＸの画素電極ＰＥは、それぞれ共通電極ＣＥと対向している。液晶層ＬＣは、画素電極ＰＥと共通電極ＣＥとの間に生じる電界によって駆動される。保持容量ＣＳは、例えば、共通電極ＣＥと同電位の電極、及び、画素電極ＰＥと同電位の電極の間に形成される。
【００４１】
なお、ここでは画素ＰＸの詳細な構成についての説明を省略するが、画素ＰＸは、基板主面の法線に沿った縦電界を利用する表示モード、基板主面に対して斜め方向に傾斜した傾斜電界を利用する表示モード、基板主面に沿った横電界を利用する表示モード、さらには、上記の縦電界、横電界、及び、傾斜電界を適宜組み合わせて利用する表示モードのいずれも適用可能である。ここでの基板主面とは、第１方向Ｘ及び第２方向Ｙで規定されるＸ−Ｙ平面と平行な面である。
【００４２】
図１４は、画素ＰＸの構成例を示す断面図である。図示した画素ＰＸの構成例は、横電界を利用する表示モードが適用された例に相当する。
【００４３】
第１基板ＳＵＢ１は、絶縁基板１０、絶縁層１１乃至１５、下側遮光層ＵＳ、半導体層ＳＣ、スイッチング素子ＳＷ、共通電極ＣＥ、画素電極ＰＥ、及び、配向膜ＡＬ１を備えている。絶縁基板１０は、ポリイミドなどの樹脂材料によって形成され、可撓性及び光透過性を有する基板である。下側遮光層ＵＳは、絶縁基板１０の上に位置し、絶縁層１１によって覆われている。半導体層ＳＣは、絶縁層１１の上に位置し、絶縁層１２によって覆われている。半導体層ＳＣは、例えば、多結晶シリコンによって形成されているが、アモルファスシリコンや酸化物半導体によって形成されていてもよい。  
スイッチング素子ＳＷにおいて、ゲート電極ＧＥ１及びＧＥ２は、絶縁層１２の上に位置し、絶縁層１３によって覆われている。ゲート電極ＧＥ１及びＧＥ２は、図１３に示したいずれかの走査線Ｇと電気的に接続されている。ソース電極ＳＥ及びドレイン電極ＤＥは、絶縁層１３の上に位置し、絶縁層１４によって覆われている。ソース電極ＳＥは、図１３に示したいずれかの信号線Ｓと電気的に接続されている。ソース電極ＳＥは、絶縁層１２及び１３を貫通するコンタクトホールＣＨ１を介して半導体層ＳＣにコンタクトしている。ドレイン電極ＤＥは、絶縁層１２及び１３を貫通するコンタクトホールＣＨ２を介して半導体層ＳＣにコンタクトしている。  
共通電極ＣＥは、絶縁層１４の上に位置し、絶縁層１５によって覆われている。画素電極ＰＥは、絶縁層１５の上に位置し、配向膜ＡＬ１によって覆われている。画素電極ＰＥの一部は、絶縁層１５を介して共通電極ＣＥと対向している。共通電極ＣＥ及び画素電極ＰＥは、インジウム・ティン・オキサイド（ＩＴＯ）やインジウム・ジンク・オキサイド（ＩＺＯ）などの透明な導電材料によって形成されている。画素電極ＰＥは、共通電極ＣＥの開口部ＡＰと重畳する位置において、絶縁層１４及び１５を貫通するコンタクトホールＣＨ３を介してドレイン電極ＤＥにコンタクトしている。なお、絶縁層１１乃至１３、及び、絶縁層１５は、例えばシリコン酸化物、シリコン窒化物、シリコン酸窒化物などの無機絶縁層であり、単層構造であってもよいし、多層構造であってもよい。絶縁層１４は、例えばアクリル樹脂などの有機絶縁層である。
【００４４】
第２基板ＳＵＢ２は、絶縁基板２０、絶縁層２１、遮光層ＢＭ、カラーフィルタ層ＣＦ、オーバーコート層ＯＣ、及び、配向膜ＡＬ２を備えている。絶縁基板２０は、ポリイミドなどの樹脂材料によって形成され、可撓性及び光透過性を有する基板である。絶縁層２１は、絶縁基板２０の第１基板ＳＵＢ１と対向する側に位置している。絶縁層２１は、例えばシリコン酸化物、シリコン窒化物、シリコン酸窒化物などの無機絶縁層であり、単層構造であってもよいし、多層構造であってもよい。遮光層ＢＭ及びカラーフィルタ層ＣＦは、絶縁層２１の第１基板ＳＵＢ１と対向する側に位置している。遮光層ＢＭは、図１などに示した遮光層ＬＳと同一材料を用いて一括して形成可能である。遮光層ＢＭは、信号線Ｓや走査線Ｇやスイッチング素子ＳＷなどの配線部とそれぞれ対向する位置に配置されている。カラーフィルタ層ＣＦは、画素電極ＰＥと対向する位置に配置され、その一部が遮光層ＢＭに重なっている。オーバーコート層ＯＣは、カラーフィルタ層ＣＦを覆っている。配向膜ＡＬ２は、オーバーコート層ＯＣを覆っている。
【００４５】
第１基板ＳＵＢ１と第２基板ＳＵＢ２とのギャップは、スペーサＰＳによって形成される。スペーサＰＳは、図示した例では、第２基板ＳＵＢ２に設けられ、第１基板ＳＵＢ１に向かって突出している。スペーサＰＳは、例えばアクリル樹脂などの有機絶縁材料によって形成される。
【００４６】
液晶層ＬＣは、第１基板ＳＵＢ１及び第２基板ＳＵＢ２の間に位置し、配向膜ＡＬ１と配向膜ＡＬ２との間に保持されている。液晶層ＬＣは、液晶分子を含んでいる。このような液晶層ＬＣは、ポジ型（誘電率異方性が正）の液晶材料、あるいは、ネガ型（誘電率異方性が負）の液晶材料によって構成されている。
【００４７】
次に、図１４に示した断面を有する表示装置ＤＳＰにおいて、上記のシールストッパ部ＳＳにおける凸部ＣＶ及び凹部ＣＣの具体例について説明する。
【００４８】
図１５は、凸部ＣＶ１１及びＣＶ２１の具体例を示す図である。第１基板ＳＵＢ１において、凸部ＣＶ１１は、図１４に示した絶縁層１４と同一材料によって形成される。すなわち、凸部ＣＶ１１は、絶縁層１３の上に形成され、第２基板ＳＵＢ２に向かって突出している。第２基板ＳＵＢ２において、凸部ＣＶ２１は、図１４に示したスペーサＰＳと同一材料によって形成される。すなわち、凸部ＣＶ２１は、オーバーコート層ＯＣの下に形成され、第１基板ＳＵＢ１に向かって突出している。凸部ＣＶ２１と対向する領域、あるいは、凸部ＣＶ１１の周辺領域においては、絶縁層１４は除去されている。
【００４９】
図１６は、凹部ＣＣ１１及びＣＣ２１の具体例を示す図である。第１基板ＳＵＢ１において、凹部ＣＣ１１は、絶縁層１４を除去することによって形成される。第２基板ＳＵＢ２において、凹部ＣＣ２１は、遮光層ＢＭ、カラーフィルタ層ＣＦ、及び、オーバーコート層ＯＣを除去することによって形成されている。
【００５０】
以上説明したように、本実施形態によれば、狭額縁化が可能な表示装置を提供することができる。
【００５１】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００５２】
本実施形態においては、表示装置の一例として、液晶表示装置について説明したが、これに限らない。本実施形態にて開示する主要な構成は、有機エレクトロルミネッセンス表示素子等を有する自発光型の表示装置、電気泳動素子等を有する電子ペーパ型の表示装置、ＭＥＭＳ（Micro Electro Mechanical Systems）を応用した表示装置、或いはエレクトロクロミズムを応用した表示装置などにも適用可能である。
【００５３】
本実施形態の表示パネルＰＮＬは、第１基板ＳＵＢ１の背面側からの光を選択的に透過させることで画像を表示する透過表示機能を備えた透過型であったが、これに限らない。表示パネルＰＮＬは、第２基板ＳＵＢ２の前面側からの光を選択的に反射させることで画像を表示する反射表示機能を備えた反射型、あるいは、透過表示機能及び反射表示機能を備えた半透過型のいずれであってもよい。表示パネルＰＮＬが反射型である場合には、図２に示したような照明装置ＩＬが省略される。
【符号の説明】
【００５４】
ＤＳＰ…表示装置  ＤＡ…表示領域  ＮＤＡ…非表示領域
ＰＮＬ…表示パネル  ＦＬ１…第１平坦部  ＦＬ２…第２平坦部  ＢＤ…曲げ部
ＳＵＢ１…第１基板  ＳＵＢ２…第２基板
ＳＬ…シール  ＳＬＩ…内端部  ＳＬＯ…外端部
ＯＦ１…第１光学フィルム  Ｅ１１…第１端部
ＯＦ２…第２光学フィルム  Ｅ２１…第２端部
ＩＬ…照明装置
ＳＳ…シールストッパ部  ＣＶ…凸部  ＣＣ…凹部
ＷＯ…最外周配線
【図１】
2019113687.tif 000003
【図２】
2019113687.tif 000004
【図３】
2019113687.tif 000005
【図４】
2019113687.tif 000006
【図５】
2019113687.tif 000007
【図６】
2019113687.tif 000008
【図７】
2019113687.tif 000009
【図８】
2019113687.tif 000010
【図９】
2019113687.tif 000011
【図１０】
2019113687.tif 000012
【図１１】
2019113687.tif 000013
【図１２】
2019113687.tif 000014
【図１３】
2019113687.tif 000015
【図１４】
2019113687.tif 000016
【図１５】
2019113687.tif 000017
【図１６】
2019113687.tif 000018